(57)【要約】【課題】ユーザが見ていないと思われる場合の無駄な電力消費を避ける。【解決手段】画像データを記憶する内蔵メモリ21及びメモリカード22と、画像を表示する表示部20と、記憶した画像データに基づいて表示部20に画像を表示させる表示コントローラ17と、所定範囲内に存在する外部機器と通信接続するブルートゥース通信部19及び無線インターフェイス16と、通信接続している外部機器の動作情報を取得し、取得した動作情報に応じて表示コントローラ17及び表示部20による画像の表示動作を制限するＣＰＵ11とを備える。【選択図】図２
2012034126.tif 000002
【特許請求の範囲】
【請求項１】
画像データを記憶する記憶部と、
画像を表示する表示部と、
上記記憶部に記憶した画像データに基づいて上記表示部に画像を表示させる表示駆動部と、
所定範囲内に存在する外部機器と通信接続する接続部と、
上記接続部により通信接続している上記外部機器の動作情報を取得し、取得した動作情報に応じて上記表示駆動部及び表示部による画像の表示動作を制限する制限制御部と
を具備したことを特徴とするデジタルフォトフレーム。
【請求項２】
上記制限制御部は、外部機器の動作情報に応じて上記表示駆動部及び表示部による画像の表示動作を停止させることを特徴とする請求項１記載のデジタルフォトフレーム。
【請求項３】
上記表示部は、液晶表示パネルと、当該液晶表示パネルの背面側から白色光を照射するバックライトとを備え、
上記制限制御部は、外部機器の動作情報に応じて上記表示部のバックライトを消灯させる
ことを特徴とする請求項１記載のデジタルフォトフレーム。
【請求項４】
上記外部機器は電子番組ガイド情報を蓄積可能なテレビ受像機であり、
上記制限制御部は、上記接続部によりテレビ受像機から電子番組ガイド情報及び視聴中のチャンネル情報を取得し、視聴中の番組の終了タイミングに応じて上記表示駆動部及び表示部による画像の表示動作を開始させる
ことを特徴とする請求項１記載のデジタルフォトフレーム。
【請求項５】
上記制限制御部は、上記接続部により外部機器から入力操作情報を取得し、入力操作がない状態を検出して上記表示駆動部及び表示部による画像の表示動作を開始させる
ことを特徴とする請求項１記載のデジタルフォトフレーム。
【請求項６】
上記外部機器はテレビ受像機及びビデオレコーダの少なくとも一方に対応したリモートコントローラであり、
上記制限制御部は、上記接続部により上記リモートコントローラによる入力操作がない状態を検出して上記表示駆動部及び表示部による画像の表示動作を開始させる
ことを特徴とする請求項１記載のデジタルフォトフレーム。
【請求項７】
画像データを記憶する記憶部、画像を表示する表示部、及び上記記憶部に記憶した画像データに基づいて上記表示部に画像を表示させる表示駆動部を備えたデジタルフォトフレームでの画像表示方法であって、
所定範囲内に存在する外部機器と通信接続して当該外部機器の動作情報を取得し、
取得した動作情報に応じて上記表示駆動部及び表示部による画像の表示動作を制限する
ことを特徴とする画像表示方法。
【請求項８】
画像データを記憶する記憶部、画像を表示する表示部、及び上記記憶部に記憶した画像データに基づいて上記表示部に画像を表示させる表示駆動部を備えたデジタルフォトフレームが内蔵したコンピュータが実行するプログラムであって、
当該プログラムを、
所定範囲内に存在する外部機器と通信接続して当該外部機器の動作情報を取得する取得手段、及び
取得した動作情報に応じて上記表示駆動部及び表示部による画像の表示動作を制限する制限制御手段
として機能させるためのプログラム。
【発明の詳細な説明】
【技術分野】
【０００１】
本発明は、家屋室内に載置、あるいは壁に掛けて使用するデジタルフォトフレーム、画像表示方法及びプログラムに関する。
【背景技術】
【０００２】
近時、デジタルカメラやカメラ機能を有する携帯電話端末が一般化するのに連れて、撮影により得た画像の電子データをパーソナルコンピュータ等を必要とせずに気軽に家庭内で表示させる機器として、「電子写真立て」「デジタルフォトスタンド」とも称されるデジタルフォトフレームが広く普及しつつある。
【０００３】
この種のデジタルフォトフレームにおいて、ユーザ状態を反映させた表示制御を実現するべく、ユーザ検知センサにより検知された検知情報を取得し、取得した検知情報に基づいて、ユーザと表示部との位置関係、表示部に対するユーザの視認状態、及びユーザが検知範囲内に存在するか否かの少なくとも１つを判断し、その判断結果に応じて表示部に表示される画像の表示態様を変化させる表示制御を行なうようにした技術が考えられている。（例えば、特許文献１）
【先行技術文献】
【特許文献】
【０００４】
【特許文献１】特開２０１０−００４１１８号公報
【発明の概要】
【発明が解決しようとする課題】
【０００５】
上記特許文献に記載された技術では、ユーザの位置を検知するためのセンサとしてユーザを撮影する撮像（イメージ）センサや超音波センサ等を用い、ユーザとの距離を測定している。そのため、装置の構成が非常に複雑になる。
【０００６】
加えて、この種のデジタルフォトフレームが設置される環境を考えると、同一の室内にテレビ／ビデオ関連の各種映像機器やパーソナルコンピュータなど、デジタルフォトフレーム以外にもユーザが「見る」ことを目的とした外部機器が多種存在されることが充分想定できる。
【０００７】
したがって、単にデジタルフォトフレームと距離的に近い位置にユーザが存在した場合でも、必ずしもユーザがデジタルフォトフレームを見るような状態にあるとは限らない。
【０００８】
本発明は上記のような実情に鑑みてなされたもので、その目的とするところは、ユーザが見ていないと思われる場合の無駄な電力消費を避けることが可能なデジタルフォトフレーム、画像表示方法及びプログラムを提供することにある。
【課題を解決するための手段】
【０００９】
請求項１記載の発明は、画像データを記憶する記憶部と、画像を表示する表示部と、上記記憶部に記憶した画像データに基づいて上記表示部に画像を表示させる表示駆動部と、所定範囲内に存在する外部機器と通信接続する接続部と、上記接続部により通信接続している上記外部機器の動作情報を取得し、取得した動作情報に応じて上記表示駆動部及び表示部による画像の表示動作を制限する制限制御部とを具備したことを特徴とする。
【００１０】
請求項２記載の発明は、上記請求項１記載の発明において、上記制限制御部は、外部機器の動作情報に応じて上記表示駆動部及び表示部による画像の表示動作を停止させることを特徴とする。
【００１１】
請求項３記載の発明は、上記請求項１記載の発明において、上記表示部は、液晶表示パネルと、当該液晶表示パネルの背面側から白色光を照射するバックライトとを備え、上記制限制御部は、外部機器の動作情報に応じて上記表示部のバックライトを消灯させることを特徴とする。
【００１２】
請求項４記載の発明は、上記請求項１記載の発明において、上記外部機器は電子番組ガイド情報を蓄積可能なテレビ受像機であり、上記制限制御部は、上記接続部によりテレビ受像機から電子番組ガイド情報及び視聴中のチャンネル情報を取得し、視聴中の番組の終了タイミングに応じて上記表示駆動部及び表示部による画像の表示動作を開始させることを特徴とする。
【００１３】
請求項５記載の発明は、上記請求項１記載の発明において、上記制限制御部は、上記接続部により外部機器から入力操作情報を取得し、入力操作がない状態を検出して上記表示駆動部及び表示部による画像の表示動作を開始させることを特徴とする。
【００１４】
請求項６記載の発明は、上記請求項１記載の発明において、上記外部機器はテレビ受像機及びビデオレコーダの少なくとも一方に対応したリモートコントローラであり、上記制限制御部は、上記接続部により上記リモートコントローラによる入力操作がない状態を検出して上記表示駆動部及び表示部による画像の表示動作を開始させることを特徴とする。
【００１５】
請求項７記載の発明は、画像データを記憶する記憶部、画像を表示する表示部、及び上記記憶部に記憶した画像データに基づいて上記表示部に画像を表示させる表示駆動部を備えたデジタルフォトフレームでの画像表示方法であって、所定範囲内に存在する外部機器と通信接続して当該外部機器の動作情報を取得し、取得した動作情報に応じて上記表示駆動部及び表示部による画像の表示動作を制限することを特徴とする。
【００１６】
請求項８記載の発明は、画像データを記憶する記憶部、画像を表示する表示部、及び上記記憶部に記憶した画像データに基づいて上記表示部に画像を表示させる表示駆動部を備えたデジタルフォトフレームが内蔵したコンピュータが実行するプログラムであって、当該プログラムを、所定範囲内に存在する外部機器と通信接続して当該外部機器の動作情報を取得する取得手段、及び取得した動作情報に応じて上記表示駆動部及び表示部による画像の表示動作を制限する制限制御手段として機能させる。
【発明の効果】
【００１７】
本発明によれば、周辺に位置する外部機器の動作状態に応じて、ユーザが見ていないと思われる場合の無駄な電力消費を避けることが可能となる。
【図面の簡単な説明】
【００１８】
【図１】本発明の第１の実施形態に係るデジタルフォトフレームの設置環境を示す図。
【図２】同実施形態に係るデジタルフォトフレームのハードウェア構成を示すブロック図。
【図３】同実施形態に係るデジタルフォトフレームで実行される動作環境に応じた電源制御の処理内容を示すフローチャート。
【図４】本発明の第２の実施形態に係るデジタルフォトフレームで実行される動作環境に応じた電源制御の処理内容を示すフローチャート。
【発明を実施するための形態】
【００１９】
（第１の実施形態）  
以下、本発明の第１の実施形態に係るデジタルフォトフレームについて図面を参照して説明する。  
なお、本実施形態では無線ＰＡＮ（Ｐｅｒｓｏｎａｌ  Ａｒｅａ  Ｎｅｔｗｏｒｋ）技術としてＢｌｕｅｔｏｏｔｈ（登録商標）（以下「ブルートゥース」と称する）（ＩＥＥＥ８０２．１５．１標準）規格のＰＡＮプロファイルでＣｌａｓｓ２（電波出力２．５［ｍＷ］、到達距離約１０［ｍ］）出力に準じて各種機器間を無線接続するものとする。
【００２０】
図１は、本実施形態に係るデジタルフォトフレーム１の設置環境を例示する図である。  
１つの室内を対象の範囲として、デジタルフォトフレーム１、パーソナルコンピュータ２、テレビ受信機３、及びシーリングライト４が上述したブルートゥース技術により相互に無線接続される。これらの機器１〜４は、予めペアリングが実施され、同一のパスキー（認証鍵）が設定されており、接続可能な範囲内で電源をオンしている機種を自動的に認識し、接続を確率する。
【００２１】
デジタルフォトフレーム１は、装置に装着するメモリカード、あるいは内蔵メモリに画像データを記憶し、記憶した画像データを用いて画像の表示を行なう。
【００２２】
次に図２により上記デジタルフォトフレーム１の構成について説明する。  
図２はこのデジタルフォトフレーム１のハードウェア構成を示すものである。１１は各種処理制御を司るＣＰＵである。このＣＰＵ１１と主入出力処理部１２とがバス接続される。
【００２３】
この主入出力処理部１２は、さらにメインメモリ１３及びグラフィックコントローラ１４とそれぞれ専用のバスを介して接続される他、副入出力処理部１５とも別のバスにより接続される。主入出力処理部１２は、主としてこれらの間での入出力制御を実行する。
【００２４】
メインメモリ１３は、後述する内蔵メモリ２１から読出してくる動作プログラムや各種データを展開して記憶するワークメモリである。グラフィックコントローラ１４は、画像表示のためのグラフィックス処理を実行する。
【００２５】
副入出力処理部１５は、無線インターフェイス（Ｉ／Ｆ）１６、表示コントローラ１７、及びメモリコントローラ１８と接続され、主としてこれら周辺回路と上記主入出力処理部１２との間の入出力制御を行なう。
【００２６】
無線インターフェイス１６は、ブルートゥース通信部１９と接続される。  
ブルートゥース通信部１９は、上述した如くブルートゥース規格に則って所定範囲内にある外部機器との間でのデータの送受を行なう。
【００２７】
表示コントローラ１７は、副入出力処理部１５を介して与えられるデジタル値の画像データに基づいて表示部２０を駆動し、対応する画像を表示させる。表示部２０は、例えばＬＥＤバックライト付きの透過型カラー液晶パネルとその駆動回路とで構成される。
【００２８】
メモリコントローラ１８は、内蔵メモリ２１及びコネクタＣを介してメモリカード２２と接続され、これらと上記副入出力処理部１５との間の入出力制御を行なう。  
内蔵メモリ２１は、不揮発性メモリで構成され、このデジタルフォトフレーム１の動作プログラムや各種データ等と、後述するメモリカード２２から読出した画像データ等を固定的に記憶する。  
メモリカード２２は、このデジタルフォトフレーム１に対して着脱自在に装着され、主として画像データを記憶する。  
なお、これらデジタルフォトフレーム１を構成する個々のハードウェア回路自体は、きわめて一般的な周知の技術であるので、それらについてのより詳細な説明は省略する。
【００２９】
同様に、上記パーソナルコンピュータ２、テレビ受信機３、及びシーリングライト４に関しても、汎用の無線接続インターフェイスであるブルートゥース技術を搭載している点を除いて、それぞれ一般的な構成を有するものとして、構成の詳細な説明は省略する。
【００３０】
次に上記実施形態の動作について説明する。  
図３の処理内容は、ＣＰＵ１１が内蔵メモリ２１に記憶されている動作プログラムを読出し、読出した動作プログラムをメインメモリ１３に展開して記憶させることで順次実施する。
【００３１】
なお、内蔵メモリ２１に記憶されている動作プログラムや固定データ等は、このデジタルフォトフレーム１の製造工場出荷時に内蔵メモリ２１に記憶されていたものに加え、例えばこのデジタルフォトフレーム１のファームウェアのバージョンアップに際して、デジタルフォトフレーム１をパーソナルコンピュータ２とＵＳＢ（Ｕｎｉｖｅｒｓａｌ  Ｓｅｒｉａｌ  Ｂｕｓ）ケーブルで直接有線接続してインターネット経由で新たな動作プログラム、データ等をダウンロードして記憶するものも含む。
【００３２】
図３は、デジタルフォトフレーム１の電源スイッチがオンされている状態で常時実行する、主として表示動作のオン／オフに係る処理内容を示す。その処理当初には、ＣＰＵ１１がブルートゥース通信部１９により通信可能な他の外部機器をサーチする（ステップＳ１０１）。
【００３３】
このサーチの結果、シーリングライト４が点灯しているか否かを判断する（ステップＳ１０２）。これは、原則的にシーリングライト４が点灯している状態でユーザが室内に存在しているものとして、デジタルフォトフレーム１の表示を行なうことを予め設定した結果に基づく。
【００３４】
ここでシーリングライト４が点灯していると判断すると、次に他の表示デバイスであるパーソナルコンピュータ２及びテレビ受信機３の少なくとも一方の電源がオンしているか否かを判断する（ステップＳ１０３）。
【００３５】
ここでパーソナルコンピュータ２及びテレビ受信機３のいずれの電源もオフであり、電源がオンとなっている表示デバイスが他にはないと判断した場合は、あらためてデジタルフォトフレーム１の表示動作をオン設定し、予め設定されている表示モードに応じて内蔵メモリ２１及びメモリカード２２に記憶されている画像データに基づいた画像の表示を開始する（ステップＳ１０４）。
【００３６】
また、上記ステップＳ１０２でシーリングライト４が点灯していないと判断した場合、及び上記ステップＳ１０３でパーソナルコンピュータ２及びテレビ受信機３の少なくとも一方の電源がオンであると判断した場合は、ブルートゥース通信部１９を用いた通信系を除いて、表示コントローラ１７及び表示部２０による表示を待機するスタンバイ状態を設定する（ステップＳ１０５）。
【００３７】
上記ステップＳ１０４またはＳ１０５による設定後、ＣＰＵ１１内のレジスタで時間をカウントすることで一定時間、例えば６０［秒］が経過したか否かを判断する（ステップＳ１０６）。
【００３８】
ここで一定時間が経過していなければ、さらにブルートゥース通信部１９を介して外部機器からのアクセスがあるか否かを判断する（ステップＳ１０７）。
【００３９】
外部機器からのアクセスもないと判断すると、再び上記ステップＳ１０６からの処理に戻る。こうして、ステップＳ１０６，Ｓ１０７の処理を繰返し実行することにより、上記一定時間が経過するか、あるいは外部機器からアクセスがあるのを待機する。
【００４０】
しかして、一定時間が経過するか、外部機器からアクセスがあった場合、ステップＳ１０６またはＳ１０７でそれを判断し、あらためて上記ステップＳ１０１からの処理に戻って、周囲の動作環境に応じたデジタルフォトフレーム１での表示のオン／オフ設定を行なう。
【００４１】
以上詳述した如く本実施形態によれば、ユーザがデジタルフォトフレーム１を見ていないと思われる状態を予め設定しておくことにより、一定の範囲内に位置する外部機器の動作状態に応じて表示動作に係る無駄な電力消費を避けることが可能となる。
【００４２】
特に上記実施形態では、シーリングライト４が点灯していない場合はユーザが室内にいないものとして、またシーリングライト４が点灯していても、パーソナルコンピュータ２またはテレビ受信機３が動作している場合にはユーザがデジタルフォトフレーム１を見ていないものとして、予め設定した内容に基づいてデジタルフォトフレーム１での表示動作をスタンバイ状態として一時的に停止するものとした。これにより、表示部２０で消費する電力を確実に削減できる。
【００４３】
また、上記実施形態では説明しなかったが、例えば表示部２０を構成するカラー液晶パネルが半透過型で、明るい環境下ではバックライトの点灯なしでも表示が行なえる場合には、あえて液晶表示パネルとバックライトの駆動を分けて制御するものとしても良い。
【００４４】
例えば、シーリングライト４の点灯の必要がない明るい環境下で、且つパーソナルコンピュータ２及びテレビ受信機３の少なくとも一方の電源がオンしている状態では、ユーザがパーソナルコンピュータ２及びテレビ受信機３の少なくとも一方の電源をオンしているものの、デジタルフォトフレーム１を見る可能性もあるものとして、バックライトは消灯させながらも、液晶表示パネルでの画像の表示は実施するものとしても良い。  
このような制御を設定に基づいて実行することにより、この種のデジタルフォトフレーム１で主要な電力消費要因であるバックライトの駆動を抑制しながらも、画像の表示は実施して、ユーザに画像を提示させることができる。
【００４５】
（第２の実施形態）  
以下、本発明の第２の実施形態に係るデジタルフォトフレームについて図面を参照して説明する。  
なお、本実施形態では採用する無線ＰＡＮ技術としてブルートゥース技術を用いるものとし、本実施形態に係るデジタルフォトフレーム１′の設置環境を示す図は上記図１と同じ、デジタルフォトフレーム１′のハードウェア構成を示す図は上記図２と同じであるものとして、同一部分には同一符号を使用し、その図示と説明は省略する。
【００４６】
図４は、デジタルフォトフレーム１′の電源スイッチがオンされている状態で常時実行する、主として表示動作のオン／オフに係る処理内容を示す。その処理当初には、ＣＰＵ１１がブルートゥース通信部１９により通信可能な他の外部機器をサーチする（ステップＳ２０１）。
【００４７】
このサーチの結果、シーリングライト４が点灯しているか否かを判断する（ステップＳ２０２）。これは、原則的にシーリングライト４が点灯している状態でユーザが室内に存在しているものとして、デジタルフォトフレーム１の表示を行なうことを予め設定した結果に基づく。
【００４８】
ここでシーリングライト４が点灯していると判断すると、次に他の表示デバイスであるパーソナルコンピュータ２及びテレビ受信機３の少なくとも一方の電源がオンしているか否かを判断する（ステップＳ２０３）。
【００４９】
ここでパーソナルコンピュータ２及びテレビ受信機３のいずれの電源もオフであり、電源がオンとなっている表示デバイスが他にはないと判断した場合は、あらためてデジタルフォトフレーム１の表示動作をオン設定し、予め設定されている表示モードに応じて内蔵メモリ２１及びメモリカード２２に記憶されている画像データに基づいた画像の表示を開始する（ステップＳ２０４）。
【００５０】
また、上記ステップＳ２０３でパーソナルコンピュータ２及びテレビ受信機３の少なくとも一方の電源がオンであると判断した場合は、次に上記テレビ受信機３の電源がオンであるか否かを判断する（ステップＳ２０５）。
【００５１】
ここでテレビ受信機３の電源がオンであると判断した場合には、次にテレビ受信機３に対してＥＰＧ（Ｅｌｅｃｔｒｏｎｉｃ  Ｐｒｏｇｒａｍ  Ｇｕｉｄｅ：電子番組ガイド）情報とその時点で選局しているチャンネル（ｃｈ）の情報とを送信するように要求する（ステップＳ２０６）。
【００５２】
この要求に対してテレビ受信機３がＥＰＧ情報とチャンネル情報とを送信してくるとそれらの情報を取得する（ステップＳ２０７）。そして、取得した情報に基づいて、その時点で選局している番組が終了して切換えタイミングとなったか否かを判断する（ステップＳ２０８）。
【００５３】
ここで、選局している番組が終了して切換えタイミングとなったと判断した場合には、予め設定されている表示モードに応じて内蔵メモリ２１及びメモリカード２２に記憶されている画像データに基づいた画像の表示を開始する（ステップＳ２０４）。
【００５４】
また、上記ステップＳ２０８でその時点で選局している番組がまだ終了しておらず、切換えタイミングとはなっていないと判断した場合には、ブルートゥース通信部１９を用いた通信系を除いて、表示コントローラ１７及び表示部２０による表示を待機するスタンバイ状態を設定する（ステップＳ２１０）。
【００５５】
また、上記ステップＳ２０５で上記テレビ受信機３の電源がオンではなくオフとなっていると判断した場合には、パーソナルコンピュータ２の電源がオンとなっているものとして、パーソナルコンピュータ２に対して直前の一定時間、例えば２分間以内のキーボードあるいはマウスによるユーザの操作情報を送信するように要求する（ステップＳ２１１）。
【００５６】
この要求に対してパーソナルコンピュータ２が操作情報を送信してくるとその情報を取得する（ステップＳ２１２）。そして、取得した情報に基づいて、直前の一定時間、例えば２分間以内にパーソナルコンピュータ２でキーボードあるいはマウスによるユーザの操作があったか否かを判断する（ステップＳ２１３）。
【００５７】
ここで、一定時間内にはパーソナルコンピュータ２での操作がないと判断した場合には、ユーザがパーソナルコンピュータ２の電源を入れたままで特になんらかの処理を行なってはいないものとして、予め設定されている表示モードに応じて内蔵メモリ２１及びメモリカード２２に記憶されている画像データに基づいた画像の表示を開始する（ステップＳ２１４）。
【００５８】
また、上記ステップＳ２０２でシーリングライト４が点灯していないと判断した場合、及び上記ステップＳ２１３で一定時間内にパーソナルコンピュータ２での操作があったと判断した場合には、ブルートゥース通信部１９を用いた通信系を除いて、表示コントローラ１７及び表示部２０による表示を待機するスタンバイ状態を設定する（ステップＳ２１５）。
【００５９】
上記ステップＳ２０４、Ｓ２０９、Ｓ２１０、Ｓ２１４、またはＳ２１５による設定後、ＣＰＵ１１内のレジスタで時間をカウントすることで一定時間、例えば６０［秒］が経過したか否かを判断する（ステップＳ２１６）。
【００６０】
ここで一定時間が経過していなければ、さらにブルートゥース通信部１９を介して外部機器からのアクセスがあるか否かを判断する（ステップＳ２１７）。
【００６１】
外部機器からのアクセスもないと判断すると、再び上記ステップＳ２１６からの処理に戻る。こうして、ステップＳ２１６，Ｓ２１７の処理を繰返し実行することにより、上記一定時間が経過するか、あるいは外部機器からアクセスがあるのを待機する。
【００６２】
しかして、一定時間が経過するか、外部機器からアクセスがあった場合、ステップＳ２１６またはＳ２１７でそれを判断し、あらためて上記ステップＳ２０１からの処理に戻って、周囲の動作環境に応じたデジタルフォトフレーム１′での表示のオン／オフ設定を行なう。
【００６３】
以上詳述した如く本実施形態によれば、テレビ受信機３の電源がオンとなっている状態であっても、ＥＰＧ情報及びその時点で選局しているチャンネル（ｃｈ）の情報から視聴しているテレビ番組が終了して番組の切換えタイミングとなったと判断した場合には、あえてデジタルフォトフレーム１での表示を行なうものとした。
【００６４】
これにより、テレビ受信機３の電源が入っている状態であっても、その時点で視聴していたテレビ番組が終了するタイミングでデジタルフォトフレーム１′での表示を自動的に開始することにより、デジタルフォトフレーム１′を効率的に動作させることができる。
【００６５】
また、上記実施形態では、パーソナルコンピュータ２の電源がオンとなっている状態であっても、一定時間ユーザによる操作がないと判断した場合には、あえてデジタルフォトフレーム１′での表示を行なうものとした。
【００６６】
これにより、パーソナルコンピュータ２の電源が入っている状態であっても、一定時間操作がない場合には特にパーソナルコンピュータ２によるなんらかの処理を行なっていないものとし、デジタルフォトフレーム１′での表示を開始することにより、デジタルフォトフレーム１′を効率的に動作させることができる。
【００６７】
さらに、上記実施形態では説明しなかったが、外部機器として、テレビ受信機３と例えばＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）ケーブルにより有線接続したビデオレコーダを加える一方で、デジタルフォトフレーム１に赤外線変調信号を受信する赤外線受光部を設けるものとしても良い。
【００６８】
その場合、テレビ受信機３及び該ビデオレコーダの図示しない各リモートコントローラの少なくとも一方から発せられる赤外線変調信号の有無が一定時間ない場合には、特にテレビ受信機３及びビデオレコーダでのテレビ番組やビデオ等の視聴を行なっていないものとし、デジタルフォトフレーム１′での表示を開始することにより、デジタルフォトフレーム１′を効率的に動作させることができる。
【００６９】
なお、上記第１及び第２の実施形態では、デジタルフォトフレーム１，１′に対して無線ＰＡＮ技術としてブルートゥース技術を用いてパーソナルコンピュータ２、テレビ受信機３、及びシーリングライト４を外部機器として接続する場合について説明したが、本発明はデジタルフォトフレームを外部機器と接続するための技術や、具体的な外部機器の種類等を限定するものではない。
【００７０】
その他、本発明は上述した実施形態に限定されるものではなく、実施段階ではその要旨を逸脱しない範囲で種々に変形することが可能である。また、上述した実施形態で実行される機能は可能な限り適宜組み合わせて実施しても良い。上述した実施形態には種々の段階が含まれており、開示される複数の構成要件による適宜の組み合せにより種々の発明が抽出され得る。例えば、実施形態に示される全構成要件からいくつかの構成要件が削除されても、効果が得られるのであれば、この構成要件が削除された構成が発明として抽出され得る。
【符号の説明】
【００７１】
１，１′…デジタルフォトフレーム、２…パーソナルコンピュータ、３…テレビ受信機、４…シーリングライト、１１…ＣＰＵ、１２…主入出力処理部、１３…メインメモリ、１４…グラフィックコントローラ、１５…副入出力処理部、１６…無線インターフェイス（Ｉ／Ｆ）、１７…表示コントローラ、１８…メモリコントローラ、１９…ブルートゥース通信部、２０…表示部、２１…内蔵メモリ、２２…メモリカード、Ｃ…コネクタ。
【図１】
2012034126.tif 000003
【図２】
2012034126.tif 000004
【図３】
2012034126.tif 000005
【図４】
2012034126.tif 000006